(57)【特許請求の範囲】
【請求項１】
コネクタであって、
内部に少なくとも１つのコンタクト部材が配置されるハウジング（１）と；
前記ハウジング（１）に対して取り付け得る少なくとも１つのケーブルグランド（２）であるとともに、ケーブルが前記ハウジング（１）内の前記少なくとも１つのコンタクト部材に対して接触し得るよう前記ケーブルを挿通させることができる、ケーブルグランド（２）と；
を具備し、
前記ケーブルを通過させるための開口（１０）と、前記ハウジング（１）に対して前記ケーブルグランド（２）を取り付けるためのホルダ（１１）とが、前記ハウジング（１）の少なくとも１つの横方向表面（３）上に形成され、
前記ケーブルグランド（２）を、第１ケーブル導出方向を有した第１位置と、第２ケーブル導出方向を有した少なくとも１つの第２位置と、において、前記ホルダ（１１）に対して取り付けることができ、
前記ハウジング（１）の前記横方向表面（３）が、前記ケーブルグランド（２）のための前記ホルダ（１１）を有しているとともに、前記ハウジングのベース（６）に対して３０°〜５０°という角度（α）でもって傾斜しており、
前記ケーブルグランド（２）が、支持表面（７）を有し、前記ハウジング（１）上への前記ケーブルグランド（２）の取付状態においては、前記支持表面（７）が、前記ハウジング（１）のうちの、前記ホルダ（１１）を有した前記横方向表面（３）上に前記ケーブルグランド（２）を支持し、
前記支持表面（７）が、前記ケーブルグランド（２）の長手方向（８）に対して、４０°〜６０°という角度（β）でもって傾斜しており、
前記ケーブルグランド（２）を、前記ハウジング（１）に対して、バヨネットタイプのロック機構によって取り付けることができ、
前記バヨネットタイプのロック機構を形成するために、前記ハウジング（１）の前記ホルダ（１１）が、前記ハウジング（１）の前記横方向表面（３）上に配置された少なくとも２つのロックカム（１３ａ，１３ｂ，１３ｃ，１３ｄ）を有し、および／または、前記ケーブルグランド（２）が、前記ケーブルグランド（２）の前記支持表面（７）上に配置された少なくとも２つのロックカム（１３ａ，１３ｂ，１３ｃ，１３ｄ）を有し、
前記ハウジング（１）に対しての前記ケーブルグランド（２）の前記組立状態においては、前記ロックカム（１３ａ，１３ｂ，１３ｃ，１３ｄ）が、前記ハウジング（１）の前記横方向表面（３）内に配置されたおよび／または前記ケーブルグランド（２）の前記支持表面（７）内に配置された凹所（２３ａ，２３ｂ，２３ｃ，２３ｄ）内に係合する、
ことを特徴とするコネクタ。
【請求項２】
請求項１記載のコネクタにおいて、
前記ハウジング（１）に対しての前記ケーブルグランド（２）の組立状態においては、前記ケーブルグランド（２）上に形成された環状表面（１６）が、前記ハウジング（１）の前記開口（１０）内に係合し、
前記ハウジング（１）の前記ホルダ（１１）が、前記ハウジング（１）の前記開口（１０）内に配置された少なくとも２つのウェブ部材（１２ａ，１２ｂ，１２ｃ，１２ｄ）を有し、
少なくとも２つのアンダーカット（１８）が、前記ケーブルグランド（２）の前記環状表面（１６）の外周表面上に形成され、
前記アンダーカット（１８）に対して、前記ウェブ部材（１２ａ，１２ｂ，１２ｃ，１２ｄ）を挿入してロックすることができ、これにより、前記バヨネットタイプのロック機構を形成することができる、
ことを特徴とするコネクタ。
【請求項３】
請求項２記載のコネクタにおいて、
４つのウェブ部材（１２ａ，１２ｂ，１２ｃ，１２ｄ）が、前記ハウジング（１）の前記開口（１０）内に配置され、
それらウェブ部材（１２ａ，１２ｂ，１２ｃ，１２ｄ）のうちの、径方向反対側に配置された２つのウェブ部材が、第１組をなす径方向反対側に配置されたウェブ部材（１２ａ，１２ｂ，１２ｃ，１２ｄ）を形成し、
それらウェブ部材（１２ａ，１２ｂ，１２ｃ，１２ｄ）のうちの、径方向反対側に配置された残りの２つのウェブ部材が、第２組をなす径方向反対側に配置されたウェブ部材（１２ａ，１２ｂ，１２ｃ，１２ｄ）を形成し、
前記第１組をなす径方向反対側に配置されたウェブ部材（１２ａ，１２ｂ，１２ｃ，１２ｄ）が、前記第２組をなす径方向反対側に配置されたウェブ部材（１２ａ，１２ｂ，１２ｃ，１２ｄ）よりも、より長いものとされている、
ことを特徴とするコネクタ。
【請求項４】
請求項１記載のコネクタにおいて、
前記ロックカム（１３ａ，１３ｂ，１３ｃ，１３ｄ）が、互いに異なる高さを有している、
ことを特徴とするコネクタ。
【請求項５】
請求項１〜４のいずれか１項に記載のコネクタにおいて、
前記ロックカム（１３ａ，１３ｂ，１３ｃ，１３ｄ）が、傾斜を有したスライド表面（１５ａ，１５ｂ，１５ｃ，１５ｄ）を備え、
前記スライド表面（１５ａ，１５ｂ，１５ｃ，１５ｄ）が、湾曲している、
ことを特徴とするコネクタ。
【請求項６】
請求項５記載のコネクタにおいて、
前記スライド表面（１５ａ，１５ｂ，１５ｃ，１５ｄ）が、前記取付状態への移行時にはこれらスライド表面（１５ａ，１５ｂ，１５ｃ，１５ｄ）が前記ロックカムと前記凹所との間のインターロックを促し得るように、形成されている、
ことを特徴とするコネクタ。
【請求項７】
請求項３〜６のいずれか１項に記載のコネクタにおいて、
前記環状表面（１６）が、前記ケーブルグランド内における前記ケーブルのガイドおよび位置合わせのための少なくとも１つのフラット領域（２０ａ，２０ｂ）を有している、
ことを特徴とするコネクタ。
【請求項８】
請求項１または７記載のコネクタにおいて、
前記ハウジング（１）および／または前記ケーブルグランド（２）が、シール部材（２１）を有している、
ことを特徴とするコネクタ。
【請求項９】
請求項１〜８のいずれか１項に記載のコネクタにおいて、
前記ハウジング（１）の前記開口（１０）の直径が、前記ハウジング（１）の幅に対応したものとされている、
ことを特徴とするコネクタ。
【請求項１０】
請求項１〜９のいずれか１項に記載のコネクタにおいて、
前記ハウジング（１）が、強化プラスチック材料から形成されている、
ことを特徴とするコネクタ。
【請求項１１】
請求項１〜１０のいずれか１項に記載のコネクタにおいて、
前記ケーブルグランド（２）が、前記ハウジング（１）と比較して、展性がより大きなプラスチック材料から形成されている、
ことを特徴とするコネクタ。
【請求項１２】
請求項１〜１１のいずれか１項に記載のコネクタにおいて、
前記ハウジング（１）および／または前記ケーブルグランド（２）が、金属から形成されている、
ことを特徴とするコネクタ。
【発明の詳細な説明】
【技術分野】
【０００１】
本発明は、コネクタに関するものである。
【背景技術】
【０００２】
コネクタは、とりわけ、ヘビーデューティーな産業用のコネクタは、特にタフな環境下において好適に使用し得るよう構成されている。そのような産業用のコネクタは、通常は、ベース部分とプラグイン部分とを有したハウジングを備えている。プラグイン部分は、ベース部分に対して連結可能とされている。ハウジングの内部には、少なくとも１つのコンタクト部材が設けられている。少なくとも１つのコンタクト部材は、２つまたはそれ以上のコンタクトインサートから形成することができる。少なくとも１つのコンタクトインサートは、ベース部分内に配置され、少なくとも１つのコンタクトインサートは、プラグイン部分内に配置される。ベース部分がプラグイン部分に対して連結された際には、対応するコンタクトインサートどうしが、互いに電気的に接続されることができる。通常は、金属から形成されたハウジングが設けられる。例えば、ダイキャスト金属部材の態様とされたハウジングが設けられる。ハウジングは、環境からの影響から、コンタクトインサートを信頼性高く保護することができる。産業用のコネクタは、例えば、自動車産業や機械プラントエンジニアリングやコンベヤシステムや計測制御技術において使用され、用途に応じて、例えば６〜１０８ピン構成を有したコンタクトインサートを備えることができる。
【先行技術文献】
【特許文献】
【０００３】
【特許文献１】本明細書には、先行技術文献は記載されていない。
【発明の概要】
【発明が解決しようとする課題】
【０００４】
コンタクトインサートおよびコンタクト部材は、少なくとも１つのケーブルに対して連結されており、ケーブルは、ケーブルグランドを介してハウジング内へと挿入することができる。ケーブルは、また、フレキシブルホースとして形成することができる。例えば、気圧モジュールがコンタクトインサートとして使用された場合には、ケーブルは、圧縮エアホースの態様として形成することができる。プロセス時には、ケーブルは、特定の角度でもってハウジング上に取り付けることができる。したがって、とりわけ制限された取付状況においては、電気ケーブルがコネクタ内へと挿入されたときに、電気ケーブルが曲がってしまうことが起こり得る。したがって、電気ケーブルが損傷を受けて、電気ケーブルを他のケーブルへと交換しなければならなくなる。
【課題を解決するための手段】
【０００５】
したがって、本発明の目的は、コネクタに対してのケーブルの連結時にケーブルに対しての損傷を防止し得るコネクタを提供することである。
【０００６】
冒頭においてより詳細に説明されるタイプののコネクタの場合には、上記の目的は、本発明に基づき、コネクタが、内部に少なくとも１つのコンタクト部材が配置されるハウジングと；ハウジングに対して取り付け得る少なくとも１つのケーブルグランドであるとともに、ケーブルを挿通させることができ、さらに、ハウジング内の少なくとも１つのコンタクト部材に対して接触し得る、ケーブルグランドと；を具備し、ケーブルを通過させるための開口と、ハウジングに対してケーブルグランドを取り付けるためのホルダとが、ハウジングの少なくとも１つの横方向表面上に形成され、ケーブルグランドを、第１ケーブル導出方向を有した第１位置と、第２ケーブル導出方向を有した少なくとも１つの第２位置と、において、ホルダに対して取り付けることができ、ハウジングの横方向表面が、ケーブルグランドのためのホルダを有しているとともに、ハウジングのベースに対して３０°〜５０°という角度でもって傾斜しており、ケーブルグランドが、支持表面を有し、ハウジング上へのケーブルグランドの取付状態においては、支持表面が、ハウジングのうちの、ホルダを有した横方向表面上にケーブルグランドを支持し、支持表面が、ケーブルグランドの長手方向に対して、４０°〜６０°という角度でもって傾斜している、コネクタによって得られる。
【０００７】
本発明の実用的な実施形態および有利な態様は、従属請求項に記載されている。
【０００８】
本発明によるコネクタは、１つまたは複数のケーブルグランドを、好ましくは一体的に形成されたハウジングに対して、１つの位置だけではなく取り付け得ることを特徴とするものであり、同じケーブルグランドを、ハウジングに対して、少なくとも２つの位置において取り付け得ることを特徴としている。ハウジング上におけるケーブルグランドの各位置は、さらなるケーブルグランドのための第２連結箇所を有したハウジングを準備する必要なく、ケーブルの様々な通過を可能とする、あるいは、ハウジングの内外にわたって延在するホースとして形成されたケーブルの様々な通過を可能とする。ハウジングと、好ましくは一体的に形成されるケーブルグランドと、の双方は、様々な位置を可能とするための特定の幾何構成を有している。この場合、ハウジングの横方向表面は、ケーブルグランドのためのホルダを有したものであって、好ましくは、ハウジングの前方側の横方向表面上に形成され、ハウジングのベースに対して３０°〜５０°という角度でもって傾斜している。ケーブルグランドの支持表面は、ケーブルグランドの長手方向に対して、４０°〜６０°という角度でもって傾斜している。ケーブルグランドの長手方向と、ケーブルグランドの支持表面と、の間の角度は、好ましくは、ハウジングのベースと、ホルダを有するとともにケーブルグランドの取付対象をなす横方向表面と、の間の角度よりも大きいものとされる。ケーブルグランドは、互いに異なる少なくとも２つの位置においてハウジングの横方向表面上に配置することができる。この結果、ケーブルグランドを通過するケーブルの導出方向を、変更することができる。したがって、ケーブル導出方向のそれぞれに対応して様々に形成されたケーブルグランドを使用する必要がない。そうではなく、単一のケーブルグランドを使用して、すなわち、同一のケーブルグランドを使用して、そのケーブルグランドを、互いに異なる少なくとも２つの位置においてハウジングの横方向表面上に配置することができる。さらに、コネクタは、大きな可変性によって特徴づけられる。なぜなら、各々が特定のサイズのケーブルを受領し得る様々なケーブルグランドを取り付け得る従来技術によるコネクタとは異なり、ただ１つのハウジングしか必要とされないからである。その結果、そうでなければ必要とされていたコネクタの多様性を、特にコネク
タのハウジングの多様性を、実質的に低減することができる。
【０００９】
ケーブルグランドは、連結を使用してハウジングに対して取り付けられる。連結は、例えば、単に人手によって行い得るけれども、ツールを使用することによってのみ連結解除可能なものとすることができる。しかしながら、ツールによって行い得るような例えばツールによってロック可能な連結とすることもできる。この結果、大きな連結の信頼性を確保することができる。連結は、好ましくは、ハウジングの外側の横方向表面上において、および、ケーブルグランドの外側の横方向表面上において、形成される。さらに、連結は、ハウジングのうちの、ケーブルを通過させる横方向表面によって、および、ケーブルグランドの支持表面によって、形成することもできる。これにより、連結が、ハウジングとケーブルグランドとの間において形成される。
【００１０】
取付を行うために、好ましくは、ケーブルグランドは、バヨネットタイプのロック機構によって、ハウジングに対して取り付けられる。バヨネットタイプのロック機構により、迅速に実行可能な回転取付が可能とされる。なぜなら、ハウジング上に配置されたケーブルグランドを連結するには、およそ４５°だけにわたっての、ハウジングに対してのケーブルグランドの回転移動が必要だからである。バヨネットタイプのロック機構は、好ましくは、手動でロック可能であるようにして、なおかつ、ツールを使用することによってのみ解除可能であるようにして、形成される。
【００１１】
さらに、好ましくは、ハウジングに対してのケーブルグランドの組立状態においては、ケーブルグランド上に形成された環状表面が、ハウジングの開口内に係合し、ハウジングのホルダが、ハウジングの開口内に配置された少なくとも２つのウェブ部材を有し、少なくとも２つのアンダーカットが、ケーブルグランドの環状表面の外周表面上に形成され、アンダーカットに対して、ウェブ部材を挿入してロックすることができ、これにより、バヨネットタイプのロック機構を形成することができる。ハウジングの開口内への環状表面の係合は、バヨネットタイプのロック機構がロックされる前においてさえ、ハウジング上へのケーブルグランドの非傾斜状態での取付を最大限に可能とする。これにより、ケーブルグランドを、落下し得ない態様で、ハウジングに対して取り付けることができる。ウェブ部材とアンダーカットとは、バヨネットタイプのロック機構を形成し、その際、１つのウェブ部材が、それぞれ対応するアンダーカットに沿って挿入され、そのアンダーカットの内部にロックされる。ウェブ部材の長さおよびアンダーカットの長さは、アンダーカットに対してのウェブ部材のロックが、ケーブルグランドの８分の１回転によってすなわちケーブルグランドの回転軸線まわりにおける約４５°回転によって可能であるような、ものとされている。この結果、ハウジングに対してのケーブルグランドの迅速かつ確実な取付が容易とされている。ウェブ部材の数を増加させることにより、すなわち、３つ以上のウェブ部材を設けることにより、ハウジング上へのケーブルグランドの螺着時に必要なケーブルグランドの回転角度を、低減することができる。
【００１２】
より好ましくは、４つのウェブ部材が、ハウジングの開口内に配置され、それらウェブ部材のうちの、径方向反対側に配置された２つのウェブ部材が、第１組をなす径方向反対側に配置されたウェブ部材を形成し、それらウェブ部材のうちの、径方向反対側に配置された残りの２つのウェブ部材が、第２組をなす径方向反対側に配置されたウェブ部材を形成し、 第１組をなす径方向反対側に配置されたウェブ部材が、好ましくは、第２組をなす径方向反対側に配置されたウェブ部材よりも、より長いものとされる。この結果、一種のキーイング構造を形成することができる。このキーイング構造により、ハウジング上におけるケーブルグランドの不適正な位置合わせを防止することができ、ハウジング上におけるケーブルグランドの適正な位置合わせを保証することができる。しかしながら、ハウジングのホルダは、２つのウェブ部材だけを有することができる。これら２つのウェブ部材は、ハウジングの開口のところに配置される。これら２つのウェブ部材は、互いに離間しつつ、互いに反対側に配置することができる、あるいは、同じサイドに配置することができる。
【００１３】
ハウジングに対してのケーブルグランドの格別の固定取付を得るに際しては、バヨネットタイプのロック機構を形成するために、ハウジングのホルダは、ハウジングの横方向表面上に配置された少なくとも２つのロックカムを有している、および／または、ケーブルグランドは、ケーブルグランドの支持表面上に配置された少なくとも２つのロックカムを有している。ハウジングに対してのケーブルグランドの組立状態においては、ロックカムは、ハウジングの横方向表面内に配置されたおよび／またはケーブルグランドの支持表面上に配置された凹所内に係合することができる。例えば、ハウジングの横方向表面のコーナー領域に配置された２つのロックカムと、ケーブルグランドの支持表面のコーナー領域に配置された２つの凹所と、を設けることができる。２つのロックカムと２つの凹所との場合には、２つのロックカムは、好ましくは、互いに反対側に配置され、あるいは、互いに径方向反対側に配置され、同様に、２つの凹所は、互いに反対側に配置され、あるいは、互いに径方向反対側に配置される。ハウジングに対してのケーブルグランドの取付をとりわけ頑丈なものとし得るよう、４つのロックカムと４つの凹所とを設けることができる。その場合、４つのロックカムは、好ましくは、ハウジングの横方向表面の各コーナー領域に配置することができ、４つの凹所は、好ましくは、ケーブルグランドの支持表面の各コーナー領域に配置することができる。
【００１４】
ハウジングに対してケーブルグランドを取り付ける際に必要な取付力の低減が得られるよう、ロックカムは、互いに異なる高さを有することができる。これは、４つのロックカムが設けられる場合に特に有利であり、互いに反対側に配置された２つのロックカムは、すなわち、互いに径方向反対側に配置された２つのロックカムは、好ましくは、同じ高さを有することができ、これらの隣の２つのロックカムは、異なる高さを有することができる。
【００１５】
さらに、ロックカムは、傾斜を有したスライド表面を備えることができ、好ましくは、スライド表面は、湾曲している。スライド表面は、ロックカムの上面を構成する。ハウジングに対してのケーブルグランドの取付時には、また、その取付の解除時には、スライド表面と、凹所が形成された部材の表面とが、主に当接する。凹所が形成された部材の表面は、ハウジングのうちの、ホルダを有した横方向表面、あるいは、ケーブルグランドの支持表面、である。よって、ケーブルグランドの支持表面、あるいは、ハウジングの横方向表面は、取付の実行時にはまた取付の解除時には、ロックカムのスライド表面上をスライドすることができる。このスライドの結果、ハウジングに対してのケーブルの回転移動の結果として、ロックカムに沿った移動時には、ケーブル連結がハウジングに対しても当接することを保証することができる。この結果、取付時におけるおよび取付の解除時におけるある種のガイドを、不適正な組立を防止し得るように、設けることができる。さらに、この結果として、取付の形成時や取付の解除時には、これらプロセス時に作用する大きな力によって引き起こされかねないような、ケーブルグランドの曲がりや、ロックカムの変形を、防止することができる。ロックカムのスライド表面が傾斜を有していることのために、スライド表面上におけるよってロックカム上における、ハウジングの横方向表面のスライド、あるいは、ケーブルグランドの支持表面のスライドを、より容易に形成することができる。これと同時に、材料を保護することができる、とりわけ、ケーブルグランドをなす材料を保護することができる。スライド表面は、好ましくは、湾曲した態様で延在する。とりわけ、ハウジングに対してケーブルグランドを取り付けるためのケーブルグランドの回転方向において湾曲した態様で延在する。湾曲とは、スライド表面が、開口の円形形状および環状表面の円形形状に対して適合していることを意味する。この結果、凹所およびロックカムが形成されている場所に応じて、また、ロックカムのスライド表面が形成されている場所に応じて、ハウジングの横方向表面の当接をあるいはケーブルグランドの支持表面の当接を、ハウジングに対してのケーブルグランドの回転移動時においてさえも、確保することができる。
【００１６】
さらに、スライド表面は、取付状態への移行時にはこれらスライド表面がノッチ効果を有するように、形成することができる。ノッチ効果は、ハウジングに対してのケーブルグランドの回転移動時に、それぞれのロックカムが、凹所が形成された部材をなす材料内へと、すなわち、ケーブルグランドの支持表面上へとあるいはハウジングのうちのホルダを有した横方向表面上へと、切り込むという効果を有している。この結果、ロックカムは、切り込み対象をなす部材に対してインターロックされる。ノッチ効果の結果として、対応部材どうしのテンションを、とりわけケーブルグランドの支持表面上におけるおよび／またはハウジングの横方向表面上におけるテンションを、低減することができる。さらに、ハウジングに対してのケーブルグランドの安定的な取付を確保することができる。
【００１７】
ケーブルグランド内におけるケーブルのガイドおよび位置合わせを単純化し得るよう、環状表面は、ケーブルに適応するための少なくとも１つのフラット領域を有することができる。
【００１８】
取付状態においてケーブルグランドとハウジングとの間の移行部分をシールし得るよう、ハウジングおよび／またはケーブルグランドは、好ましくは、シール部材を有することができる。シール部材は、ハウジング上におよび／またはケーブルグランド上に形成された保持部材によって、特に安定的に保持することができる。この結果、ハウジングからのおよび／またはケーブルのガイドからのシール部材の無用のスリップを防止することができる。保持部材は、突出したエッジ部分によって形成することができる。シール部材は、そのようなエッジ部分の背後に、クランプすることができる。シール部材は、例えば、Ｏ−リングとして形成することができる。
【００１９】
さらに、ハウジングの開口の直径は、好ましくは、ハウジングの幅に対してほぼ同等のものとすることができる。この結果、ケーブルのためのスペースを、および、ハウジング内におけるケーブル設置のためのスペースを、開口の直径がハウジングの幅よりも実質的に小さいような従来技術と比較して、より大きなものとすることができる。この結果、ハウジングの内部におけるケーブルどうしの接続を、単純化することができる。開口の直径は、好ましくは、開口の内径と同じであり、ハウジングの幅は、好ましくは、壁の内表面において測定したハウジングの幅と同じである。
【００２０】
ハウジングおよび／またはケーブルグランドは、プラスチック材料から形成することができる。プラスチック材料から形成されるときには、ハウジングおよび／またはケーブルグランドは、射出成型プロセスによって製造することができる。この場合、特にハウジングに関し、ケーブルグランドを連結するための開口であるとともに、好ましくは常に同じサイズであるように形成されることとなる開口は、射出成型時には既に形成しておくことができる。よって、開口を形成するためのその後の機械加工を不要とすることができる。
【００２１】
ハウジングの大きな安定性を得るために、ハウジングは、好ましくは、強化プラスチック材料から形成される。例えば、強化プラスチック材料は、例えばガラスファイバによって強化されたポリアミドといったような、ガラスファイバによって強化されたプラスチック材料とすることができる。
【００２２】
他方、ケーブルグランドは、好ましくは、ハウジングと比較して、展性がより大きなプラスチック材料から形成される。ケーブルグランドは、好ましくは、フレキシブルなプラスチック材料から形成することができる。この結果、例えば、ケーブルグランドのうちの、クランプナットを取り付け得るネジ山部分は、より大きなフレキシブルさを有することができる。
【００２３】
さらに、ハウジングおよび／またはケーブルグランドは、金属から形成することができ、例えば、アルミニウムや鉛から形成することができる。金属製のハウジングおよび／または金属製のケーブルグランドは、金属キャスティングプロセスによって、例えば加圧ダイキャストプロセスまたは減圧キャストプロセスといったようなプロセスによって、製造することができる。
【００２４】
ケーブルグランドが金属から形成される場合、プラスチック製の環状クランプケージおよびプラスチック製の環状シール部材を、ケーブルグランドの内部スペース内に配置することができる。この場合、ケーブルグランドを挿通して案内されるケーブルを、そのような環状クランプケージおよびそのようなシール部材に対して、クランプされた態様で載置することができる。シール部材は、好ましくは、ケーブル上に直接的に載置され、シール部材を囲む環状クランプケージは、ケーブルに向けてシール部材を押圧する。これにより、特に良好なシール作用を達成することができる。環状クランプケージおよびシール部材により、ケーブルクランプの領域内に、所定のフレキシブルさを生成することができる。環状クランプケージは、ケーブルグランドの内部スペース内へと、個別部材としてすなわち着脱式に、挿入することができる。しかしながら、環状クランプケージは、ケーブルグランドの内部スペース内へと直接的に注入することができる。これにより、ケーブルグランドの内部スペースを規定する壁に対して恒久的な連結を形成することができる。
【００２５】
ハウジングが金属から形成される場合、ハウジングのうちの、ケーブルを通過させる開口を有した横方向表面は、さらに、ハウジングに対してケーブルグランドを取り付けるためのホルダをも有した横方向表面は、好ましくは、プラスチック材料から形成することができる、あるいは、プラスチック材料によってコーティングすることができる。ケーブルグランドが金属から形成される場合、支持表面は、および／または、ケーブルグランドの構成部材を有した例えばネジ山を有した環状表面は、好ましくは、プラスチック材料から形成することができる、あるいは、プラスチック材料によってコーティングすることができる。プラスチック材料は、例えば、ポリアミドとすることができ、とりわけ部分的に芳香系のポリアミドとすることができる。この材料は、大きなフレキシブルさおよび良好な熱耐性が格別である。
【００２６】
以下においては、本発明につき、添付図面を参照しつつ、本発明の様々な好ましい実施形態に関して、より詳細に説明する。
【図面の簡単な説明】
【００２７】
【図１】本発明によるコネクタを概略的に示す図であり、ハウジングとケーブルグランドとを備えており、ケーブルグランドは、ハウジングに対しての第１位置に配置されている。
【図２】本発明によるコネクタを概略的に示す図であり、ハウジングとケーブルグランドとを備えており、ケーブルグランドは、ハウジングに対しての第２位置に配置されている。
【図３】本発明の一実施形態によるコネクタのハウジングを概略的に示す図である。
【図４】本発明の一実施形態によるコネクタのケーブルグランドを概略的に示す図である。
【図５】図３のハウジングの細部を示す図である。
【図６】図１におけるハウジングをさらに概略的に示す図である。
【図７】図１におけるハウジングの細部を示す図である。
【図８】本発明の他の実施形態によるコネクタを概略的に示す図であって、本発明の第１実施形態による回転防止部材を有している。
【図９】図８の実施形態によるコネクタを概略的に示す図である。
【図１０】図８，９の実施形態によるコネクタを概略的に示す図である。
【図１１】本発明のさらなる実施形態によるコネクタを概略的に示す図であって、本発明の第２実施形態による回転防止部材を有している。
【図１２】本発明によるコネクタを概略的に示す図であり、ハウジングと、このハウジング上に設けられた２つのケーブルグランドと、を備えている。
【図１３】本発明による金属製ケーブルグランドと、このケーブルグランド上に配置された構造部材と、を概略的に示す分解図である。
【図１４】本発明によるコネクタを概略的に示す図であり、ハウジングと、金属製のケーブルグランドと、を備えている。
【図１５】コネクタを概略的に示す図であり、断面で図示されたハウジングと、スナップリングによってハウジングに対して取り付けられたケーブルグランドと、を備えている。
【図１６】本発明の他の実施形態によるコネクタを概略的に示す分解図である。
【図１７】組み立てられた状態で図１６のコネクタを概略的に示す断面図である。
【発明を実施するための形態】
【００２８】
図１および図２は、単一部材のハウジング１と、単一部材のケーブルグランド２と、を備えたコネクタを示している。ケーブルグランド２は、ハウジング１に対して取り付けることができる。ケーブルグランド２を介することにより、図示していないケーブルを、ハウジング１の内部へと挿入することができ、そのケーブルを、ハウジング１の内部に配置されたここでは図示していない１つまたは複数のコンタクトに対して、電気的に接続することができる。ケーブルグランド２の第１端部を、着脱可能な態様で、ハウジング１の横方向表面３に対して取り付けることができる。第１端部とは反対側の第２端部においては、ケーブルグランド２は、外側ネジ山４を有している。外側ネジ山４上には、ケーブルグランド２を通過するケーブルを取り付けるためのクランプナット５を固定することができる。
【００２９】
ハウジング１の横方向表面３は、ケーブルグランド２の第１端部を取り付けるためのものであって、３０°〜５０°という角度αでもって、好ましくは４０°という角度αでもって、ハウジング１のベース６に対して傾斜している。ハウジング１のベース６は、例えば、ハウジング１の直線状の底面とすることができる。
【００３０】
ケーブルグランド２は、第１端部上に支持表面７を有している。この支持表面７は、図１および図２に示すように、取付状態においては、ハウジング１の横方向表面３に対して当接する。支持表面７は、横方向表面３に対して取り付けられる。支持表面７は、ケーブルグランド２の長手方向８に対して、４０°〜６０°という角度βでもって、好ましくは５０°という角度βでもって、傾斜している。
【００３１】
２つの角度α，βは、投影角度γをもたらす。この投影角度γは、ケーブルの導出方向を決定する。この投影角度γは、ハウジング１のベース６と、ケーブルグランド２のうちの、長手方向に対して垂直に配置された横断面９と、がなす角度である。すなわち、この投影角度γは、０°〜９０°である。
【００３２】
図１に示す実施形態の場合には、ケーブルグランド２は、ハウジング１に対して、第１ケーブル導出方向をなす第１位置において、取り付けられている。第１ケーブル導出方向の場合には、投影角度γは、およそ８０°である。
【００３３】
図２に示す実施形態の場合には、ケーブルグランド２は、ハウジング１に対して、第２ケーブル導出方向をなす第２位置において、取り付けられている。第２ケーブル導出方向の場合には、投影角度γは、およそ０°である。
【００３４】
したがって、同じケーブルグランド２を、様々な位置で配置することができる。これにより、ハウジング１上において、様々なケーブル導出方向を形成することができる。
【００３５】
図３においては、コネクタのハウジング１は、ハウジング１の横方向表面３を見せて上方から図示されている。ハウジング１のこの横方向表面３に対しては、ケーブルグランド２の支持表面を取り付けることができる。
【００３６】
ハウジング１の横方向表面３は、開口１０を有している。この開口１０を通して、１つまたは複数のケーブルを通過させることができる。開口１０の直径Ｄは、およそ、ハウジング１の幅Ｂに等しい。
【００３７】
さらに、ハウジング１に対してケーブルグランド２を取り付けるためのホルダ１１が、ハウジング１の横方向表面３上に配置されている。図３〜図７に示す実施形態の場合には、ケーブルグランド２は、ハウジング１に対して、バヨネットタイプのロック機構によって、取り付けることができる。
【００３８】
バヨネットタイプのロック機構の場合には、ホルダ１１は、ハウジング１の開口１０のところにあるいは開口１０内に配置されたウェブ部材１２ａ，１２ｂ，１２ｃ，１２ｄを有している。図示の実施形態においては、４つのウェブ部材１２ａ，１２ｂ，１２ｃ，１２ｄが設けられており、これらウェブ部材１２ａ，１２ｂ，１２ｃ，１２ｄは、開口１０の曲率半径に応じて湾曲している。ウェブ部材１２ａ，１２ｂ，１２ｃ，１２ｄのうちの２つは、互いに反対側に配置されている、すなわち、径方向の反対側に配置されている。ウェブ部材１２ａ，１２ｂ，１２ｃ，１２ｄは、異なる長さを有している。互いに反対側に位置するウェブ部材は、同じ長さを有している。図３に示す実施形態においては、ウェブ部材１２ａ，１２ｃは、ウェブ部材１２ｂ，１２ｄよりも短い長さを有している。
【００３９】
さらに、ホルダ１１は、複数のロックカム１３ａ，１３ｂ，１３ｃ，１３ｄを有している。これらロックカム１３ａ，１３ｂ，１３ｃ，１３ｄは、ハウジング１の横方向表面３内において、開口１０から所定距離のところに配置されている。ロックカム１３ａ，１３ｂ，１３ｃ，１３ｄは、横方向表面３から突出している。これにより、ロックカム１３ａ，１３ｂ，１３ｃ，１３ｄは、ケーブルグランド２の支持表面７に対して相互作用することができる。図示の実施形態においては、４つのロックカム１３ａ，１３ｂ，１３ｃ，１３ｄが設けられており、これらロックカム１３ａ，１３ｂ，１３ｃ，１３ｄは、ハウジング１の横方向表面３のコーナー領域１４ａ，１４ｂ，１４ｃ，１４ｄに配置されている。ロックカム１３ａ，１３ｂ，１３ｃ，１３ｄは、ハウジング１の横方向表面３からの突出高さとして、異なる高さを有している。ロックカム１３ａ，１３ｂ，１３ｃ，１３ｄのうちの互いに反対側に配置されたロックカムは、好ましくは、同じ高さを有している。
【００４０】
ロックカム１３ａ，１３ｂ，１３ｃ，１３ｄ上における、ケーブルグランド２の支持表面７のスライドを容易とし得るよう、ロックカム１３ａ，１３ｂ，１３ｃ，１３ｄの各々は、傾斜して形成されたさらに湾曲して形成されたスライド表面１５ａ，１５ｂ，１５ｃ，１５ｄを有している。スライド表面１５ａ，１５ｂ，１５ｃ，１５ｄの湾曲度合いは、開口１０の曲率半径に適合している。これにより、スライド表面１５ａ，１５ｂ，１５ｃ，１５ｄは、ハウジング１に対してのケーブルグランド２の回転移動に適合している。
【００４１】
図４においては、本発明の第１実施形態によるコネクタのケーブルグランド２が示されている。ケーブルグランド２は、支持表面７上に、この支持表面７から突出した環状表面１６を有している。環状表面１６は、ケーブルグランド２内に、開口１７を形成している。この開口１７を通して、ケーブルグランド２からハウジング１内へと１つまたは複数のケーブルを挿入することができる。環状表面１６は、直径を有している。この直径は、ハウジング１の開口１０の直径Ｄと比較して、わずかに小さいものとされている。これにより、ハウジング１上へとケーブルグランド２を配置したときには、環状表面１６を、ハウジング１の開口１０内へと侵入させることができる。
【００４２】
環状表面１６の外周表面上には、複数のアンダーカット１８が形成されている。これらアンダーカット１８に対して、ハウジング１上のウェブ部材１２ａ，１２ｂ，１２ｃ，１２ｄが、インターロックすることができる。このインターロックは、ハウジング１に対してのケーブルグランド２の回転移動の結果であり、この回転移動によってバヨネットタイプのロック機構が形成されるからである。アンダーカット１８の数は、ウェブ部材１２ａ，１２ｂ，１２ｃ，１２ｄの数に適合している。図示の実施形態においては、４つのウェブ部材１２ａ，１２ｂ，１２ｃ，１２ｄが設けられていることに対応して、４つのアンダーカット１８が設けられている。
【００４３】
環状表面１６の自由端１９は、環状表面１６の終端エッジをなすものであって、非一様な表面を有している。これにより、環状表面１６の全体は、周縁まわりにおいて、支持表面７からの高さとして様々な高さを有している。特に、環状表面１６は、自由端１９のところに２つのフラット領域２０ａ，２０ｂを有している。これらフラット領域２０ａ，２０ｂのところにおいては、環状表面１６の高さは、環状表面１６の残部と比較して、より低いものとなっている。
【００４４】
さらに、環状表面１６の外周表面上には、Ｏ−リングとして形成されたシール部材２１が配置されている。シール部材２１は、軸線方向のシール作用を有しており、とりわけ、ケーブルグランド２とハウジング１との間の連結箇所内へとダストや湿気が侵入することを防止する。ハウジング１上へのケーブルグランド２の組立状態においては、シール部材２１が、図３における開口１０の外周表面３４からハウジング１の横方向表面３への移行部分に対して当接する。シール部材２１は、環状表面１６の外周表面上においてアンダーカット１８の下方に位置した保持部材２２によって保持される。これにより、シール部材２１が外れてしまうことを防止することができる。保持部材２２は、環状表面１６の外周表面から突出するエッジ部分という態様で形成されている。保持部材２２は、環状表面１６の全周にわたって延在することも、また、環状表面１６の一部だけに沿って延在することも、できる。
【００４５】
さらに、複数の凹所２３ａ，２３ｂ，２３ｃが、支持表面７に形成されている。これら凹所２３ａ，２３ｂ，２３ｃは、ハウジング１のロックカム１３ａ，１３ｂ，１３ｃ，１３ｄに対して相互作用する。凹所２３ａ，２３ｂ，２３ｃの数は、ロックカム１３ａ，１３ｂ，１３ｃ，１３ｄの数に対応している。図４においては、３つの凹所２３ａ，２３ｂ，２３ｃだけが見えている。しかしながら、図示の角度によっては、４つの凹所２３ａ，２３ｂ，２３ｃ，２３ｄを図示することができる。
【００４６】
ケーブルグランド２のうちの、支持表面７とは反対側に位置した第２端部上には、クランプナット５を取り付けるための外側ネジ山４と、多数のフィン２４とが、ケーブルグランド２の周縁まわりに配置されている。多数のフィン２４は、クランプナット５によって、ケーブルグランド２内へと挿入されたケーブルのジャケット上へとシール的に押圧されることができる。
【００４７】
図５は、ハウジング１上に形成されたロックカム１３ａ，１３ｂ，１３ｃ，１３ｄを詳細に示している。ロックカム１３ａ，１３ｂ，１３ｃ，１３ｄが、楔形状とされていて、傾斜したスライド表面１５ａ，１５ｂ，１５ｃ，１５ｄを形成していることがわかる。スライド表面１５ａ，１５ｂ，１５ｃ，１５ｄは、横方向表面３から平坦部分２５ａ，２５ｂ，２５ｃ，２５ｄに向けて連続的な傾斜でもって延在している。平坦部分２５ａ，２５ｂ，２５ｃ，２５ｄは、支持表面７から持ち上げられていて、ロックカム１３ａ，１３ｂ，１３ｃ，１３ｄの高さを規定している。
【００４８】
図６は、ロックカム１３ａ，１３ｂ，１３ｃ，１３ｄの格別の構成を示している。この場合にも、スライド表面１５ａ，１５ｂ，１５ｃ，１５ｄは、楔形状とされていて、傾斜を形成している。しかしながら、スライド表面１５ａ，１５ｂ，１５ｃ，１５ｄに関しての上方からの図示によってわかるように、スライド表面１５ａ，１５ｂ，１５ｃ，１５ｄは、楕円形とされている。図４の実施形態と比較して、平坦部分２５ａ，２５ｂ，２５ｃ，２５ｄの面積が低減されている。平坦部分２５ａ，２５ｂ，２５ｃ，２５ｄとスライド表面１５ａ，１５ｂ，１５ｃ，１５ｄとの間の連結は、平坦部分２５ａ，２５ｂ，２５ｃ，２５ｄの面積が低減されていることの結果としておよびスライド表面１５ａ，１５ｂ，１５ｃ，１５ｄが楕円形とされていることの結果として、比較的ポイント状とされている。このため、スライド表面１５ａ，１５ｂ，１５ｃ，１５ｄは、ノッチ効果を有している。したがって、ハウジング１に対してのケーブルグランド２の取付のためのハウジング１に対してのケーブルグランド２の回転移動時には、ロックカム１３ａ，１３ｂ，１３ｃ，１３ｄは、スライド表面１５ａ，１５ｂ，１５ｃ，１５ｄによって、ケーブルグランド２の支持表面７内へと切り込む（あるいは、食い込む）ことができる。
【００４９】
図７は、図３，５のロックカム１３ａ，１３ｂ，１３ｃ，１３ｄの他の図示である。図７に図示されたロックカム１３ａ，１３ｂ，１３ｃ，１３ｄは、図６に図示されたロックカム１３ａ，１３ｂ，１３ｃ，１３ｄとは異なり、平坦部分２５ａ，２５ｂ，２５ｃ，２５ｄに隣接したところに、急傾斜側面２６ａ，２６ｂ，２６ｃ，２６ｄを有している。これら側面２６ａ，２６ｂ，２６ｃ，２６ｄにより、ロックカム１３ａ，１３ｂ，１３ｃ，１３ｄは、それぞれ対応する凹所２３ａ，２３ｂ，２３ｃ，２３ｄに対してインターロックすることができる。ロックカム１３ａ，１３ｂ，１３ｃ，１３ｄの側面２６ａ，２６ｂ，２６ｃ，２６ｄは、ハウジング１の横方向表面３に対して、９０°〜１３０°という角度δを形成する。ロックカム１３ａ，１３ｂ，１３ｃ，１３ｄの側面２６ａ，２６ｂ，２６ｃ，２６ｄが傾斜していることの結果として、ケーブルグランド２の凹所２３ａ，２３ｂ，２３ｃ，２３ｄにおける摩耗を低減することができ、ロックカム１３ａ，１３ｂ，１３ｃ，１３ｄの保持力を増大させることができる。
【００５０】
図８〜図１１に示すコネクタの様々な実施形態においては、回転防止部材２７が設けられている。この回転防止部材２７は、ハウジング１上へのケーブルグランド２の組立状態において、ハウジング１に対してのケーブルグランド２の捻れを防止する。さらに、回転防止部材２７は、中心合わせとしても機能することができる。その結果、組立状態においては、ハウジング１上におけるケーブルグランド２の特に緊密な係合を得ることができ、これにより、ハウジング１上におけるケーブルグランド２のはためき（フラッピング）を防止することができる。図示の実施形態においては、回転防止部材２７は、ロックカム１３ａ，１３ｂ，１３ｃ，１３ｄに加えて設けられている。しかしながら、回転防止部材２７は、ロックカム１３ａ，１３ｂ，１３ｃ，１３ｄの代替として形成することもできる。よって、回転防止部材２７が設けられているときには、ロックカム１３ａ，１３ｂ，１３ｃ，１３ｄを、もはや形成する必要がなくなる。
【００５１】
回転防止部材２７は、ハウジング１の頂面２８に対して取り付けられる。回転防止部材２７は、ハウジング１の長手方向軸線２９に対して位置ズレした位置に配置されている。
【００５２】
図８〜図１０の実施形態の場合には、回転防止部材２７は、ハウジング１に対して回転可能に取り付けられている。回転防止部材２７は、ハウジング１に対して、回転防止部材２７の一端部が、ケーブルグランド２を取り付け得るハウジング１の横方向表面３を超えて突出しているようにして、取り付けられている。この突出端部上において、回転防止部材２７は、ラッチ３０を有している。ハウジング１上へのケーブルグランド２の組立状態においては、このラッチ３０は、ケーブルグランド２に形成された凹所３１内へと係合することができるあるいはスナップ嵌合することができる。
【００５３】
図８〜図１０は、ハウジング１上へのケーブルグランド２の組立における各ステップと、その際の回転防止部材２７の移動と、を示している。
【００５４】
図８においては、ケーブルグランド２は、ハウジング１の横方向表面３上に配置されている。しかしながら、最終位置までは、未だ捻られていない。図９においては、矢印で示す向きに、ハウジング１に対してのケーブルグランド２の捻り移動が、行われている。ケーブルグランド２のエッジ領域３２は、回転防止部材２７に対して接触していて回転防止部材２７を上向きに押し上げている。その結果、ケーブルグランド２を、図１０に示す最終位置へと、さらに捻ることができる。最終位置においては、回転防止部材２７は、下向きに移動し、この結果として、ケーブルグランド２の凹所３１に対してインターロックされる。この時点では、エッジ領域３２は、もはや、回転防止部材２７を上向きに押し上げてはいない。回転防止部材２７をラッチ位置から解放するには、ツールが使用される。
【００５５】
図１１に示す実施形態においては、回転防止部材２７は、ハウジング１上において回転可能に取り付けられているわけではない。そうではなく、回転防止部材２７は、ハウジング１の頂面２８に形成された凹所３３内を移動可能に取り付けられている。よって、ハウジング１上にケーブルグランド２が組み立てられていない状態においては、回転防止部材２７は、横方向表面３を超えて突出することがなく、凹所３３内に、回転防止部材２７の全体が収容されている。ハウジング１上におけるケーブルグランド２の組立時に、ケーブルグランド２が最終位置とされる際に、図１１に示すように、回転防止部材２７が、凹所３３の内部から、ケーブルグランド２に向けて押し出される。これにより、回転防止部材２７が、ケーブルグランド２に形成された凹所３１内に係合し、その凹所３１内にロックされる。回転防止部材２７を解放するには、ツールを使用して、回転防止部材２７をハウジング１に向けて押し戻す必要がある。
【００５６】
図１２においては、コネクタの他の可能な実施形態が図示されている。図１２においては、２つのケーブルグランド２が、ハウジング１上に設けられており、ハウジング１は、互いに対称的に形成された２つの横方向表面３を有しており、２つの横方向表面３の各々は、ケーブルを通過させるための開口１０を有しており、ハウジング１に対してケーブルグランド２を取り付けるためのホルダが設けられている。この場合にも、ケーブルグランド２は、ハウジング１の横方向表面３上において複数の位置に取り付けることができる。これにより、互いに異なる様々なケーブル導出方向を形成することができる。
【００５７】
図１３は、金属から形成された例えばアルミニウムや鉛から形成されたケーブルグランド２と、このケーブルグランド２上に配置される様々な構成部材と、を示す分解図である。環状クランプケージ３５が、金属製ケーブルグランド２の内部スペース３６内に配置される。環状クランプケージ３５は、円形の態様で配置された複数のリッジ３７を有している。環状クランプケージ３５は、環状クランプケージ３５の外周表面が、ケーブルグランド２のうちの、内部スペース３６を規定する壁上へと、緊密に載置されるようにして、ケーブルグランド２の内部スペース３６内に配置される。環状クランプケージ３５は、好ましくはプラスチック材料から形成されるものであって、個別の構成部材として内部スペース３６内に挿入することも、また、内部スペース３６内において直接的に一体成型することも、また、内部スペース３６を規定する壁上に一体成型することも、できる。次に、プラスチック材料から形成された環状シール部材３８が、環状クランプケージ３５のリッジ３７が、環状シール部材３８の外周表面上に押圧され得るようにして、環状クランプケージ３５内に配置される。これにより、ユニオンナット５を、ケーブルグランド２上に螺着したときには、挿入されたケーブルを、ユニオンナット５と環状クランプケージ３５のリッジ３７とシール部材３８とによってクランプすることができる。このとき、シール部材３８が、ケーブル上に緊密に載置される。さらに、図１３は、Ｏ−リングの態様とされた環状シール部材２１を示している。この環状シール部材２１は、ケーブルグランド２の環状表面１６の外周表面上に配置することができる。
【００５８】
図１４は、組立状態のコネクタを示している。図１４においては、ケーブルグランド２がハウジング１に対して取り付けられており、ユニオンナット５がケーブルグランド２に対して取り付けられている。この場合には、ハウジング１と、ケーブルグランド２と、ユニオンナット５とは、金属から形成されている。
【００５９】
図１５は、スナップリング３８によってハウジング１に対してケーブルグランド２が取り付けられている実施形態を示している。スナップリング３８は、ケーブルグランド２の環状表面１６を囲んでいるとともに、ハウジング１の開口１０を規定する内壁上に緊密に載置されている。より明瞭な図示のために、ハウジング１は、図１５においては、断面で示されている。組立時には、まず最初に、ケーブルグランド２が、ハウジング１の開口１０内に配置され、次に、スナップリング３８が、ハウジング１のベース６に設けられた開口３９を通して、ケーブルグランド２の環状表面１６上へと堅固に取り付けられる。その開口３９を通して、１つまたは複数のコンタクト部材を、ハウジング１内へと挿入することができる。この実施形態においては、ケーブルグランド２は、スナップリング３８によってハウジング１上に堅固に取り付けられる。この実施形態においては、環状クランプケージ３５およびユニオンナット５の変更に基づき、様々な横断面積のケーブルを、ケーブルグランド２を通してクランプすることができる。ケーブルグランド２は、スナップリング３８によって、ハウジング１に対して軸線方向に固定することができる。また、ケーブルグランド２は、スナップリング３８に代えてピンを使用することによっても、ハウジング１に対して取り付けることができる。
【００６０】
図１６は、コネクタを示す分解図である。図１６においては、ハウジング１は、断面図で示されている。ケーブルグランド２とハウジング１との双方は、金属から形成されている。ケーブルグランド２は、ケーブルグランド２の環状表面１６の外周表面上に、複数のアンダーカット１８を有している。図１６においては、２つのアンダーカット１８を見ることができる。図４に示す実施形態とは異なり、図１６におけるアンダーカット１８は、０°よりも大きな傾斜を有している。ウェブ部材１２ａ，１２ｂは、ケーブルグランド２がハウジング１に対してロックされたときにはアンダーカット１８に対してバヨネットタイプの態様で係合されるものであって、アンダーカット１８のピッチに対応して０°よりも大きな傾斜を有している。アンダーカット１８とウェブ部材１２ａ，１２ｂとの双方が傾斜していることにより、ケーブルグランド２は、バヨネットタイプの態様でハウジング１に対してロックされたときには、回転移動に加えて、軸線方向移動をも引き起こす。この軸線方向移動が、シール部材２１を、ハウジング１とケーブルグランド２の環状表面１６との間における所望のシール位置へと移動させる。これにより、ケーブルグランド２をハウジング１に対して取り付ける際に印加する必要がある力を、低減させることができる。これは、特に、図１６に示すシール部材２１がケーブルグランド２の環状表面１６上に配置されるときに、有利である。それは、図４に示すシール部材２１の場合のようなケーブルグランド２のエッジに対しての軸線方向のシール作用が引き起こされるのではなく、図１７に示すようにハウジング１の開口１０に対しての径方向のシール作用が引き起こされるからである。
【符号の説明】
【００６１】
１    ハウジング
２    ケーブルグランド
３    横方向表面
４    外側ネジ山
５    クランプナット
６    ベース
７    支持表面
８    長手方向
９    横断面
１０    開口
１１    ホルダ
１２ａ  ウェブ部材
１２ｂ  ウェブ部材
１２ｃ  ウェブ部材
１２ｄ  ウェブ部材
１３ａ  ロックカム
１３ｂ  ロックカム
１３ｃ  ロックカム
１３ｄ  ロックカム
１４ａ  コーナー領域
１４ｂ  コーナー領域
１４ｃ  コーナー領域
１４ｄ  コーナー領域
１５ａ  スライド表面
１５ｂ  スライド表面
１５ｃ  スライド表面
１５ｄ  スライド表面
１６    環状表面
１７    開口
１８    アンダーカット
１９    自由端
２０ａ  フラット領域
２０ｂ  フラット領域
２１    シール部材
２２    保持部材
２３ａ  凹所
２３ｂ  凹所
２３ｃ  凹所
２３ｄ  凹所
２４    フィン
２５ａ  平坦部分
２５ｂ  平坦部分
２５ｃ  平坦部分
２５ｄ  平坦部分
２６ａ  側面
２６ｂ  側面
２６ｃ  側面
２６ｄ  側面
２７    回転防止部材
２８    頂面
２９    長手方向軸線
３０    ラッチ
３１    凹所
３２    エッジ領域
３３    凹所
３４    外周表面
３５    クランプケージ
３６    内部スペース
３７    リッジ
３８    スナップリング
３９    開口
α    角度
β    角度
γ    投影角度
δ    開口角度
Ｄ    直径
Ｂ    幅
【図１】
0006046278.tif 000002
【図２】
0006046278.tif 000003
【図３】
0006046278.tif 000004
【図４】
0006046278.tif 000005
【図５】
0006046278.tif 000006
【図６】
0006046278.tif 000007
【図７】
0006046278.tif 000008
【図８】
0006046278.tif 000009
【図９】
0006046278.tif 000010
【図１０】
0006046278.tif 000011
【図１１】
0006046278.tif 000012
【図１２】
0006046278.tif 000013
【図１３】
0006046278.tif 000014
【図１４】
0006046278.tif 000015
【図１５】
0006046278.tif 000016
【図１６】
0006046278.tif 000017
【図１７】
0006046278.tif 000018